【事件の表示】
　平成　８年特許願第３５７９８５号「ナースコールシステムにおける情報表示装置」拒絶査定不服審判事件〔平成１０年　７月２８日出願公開、特開平１０−１９２３４９号〕について、次のとおり審決する。
【結　論】
　本件審判の請求は、成り立たない。
【理　由】
１．手続の経緯
　本願は、平成８年１２月２７日の出願であって、平成１４年１２月６日付けで拒絶査定がなされ、これに対し平成１５年１月８日に拒絶査定に対する審判請求がなされるとともに、同年２月６日付けで手続補正がなされたものである。
　
２．平成１５年２月６日付け手続補正についての補正却下の決定
［補正却下の決定の結論］
　平成１５年２月６日付け手続補正（以下、「本件補正」という。）を却下する。
［理由］
（１）補正後の本願発明
　本件補正により、特許請求の範囲の請求項１は、
　「ナースセンター（Ｎ）に設けられたデータ伝送装置（７）と、このデータ伝送装置（７）とデジタル回線（８）を介し接続され、かつ病室の出入口（５）の近くに設けられた患者情報板（６）とを備え、
　前記データ伝送装置（７）は、液晶ディスプレイをペンでなぞって文字を入力する入力装置（９）と、
病室に応じた絵を表す画像、
この患者による呼び出し表示、この患者のドクター名、
　前記患者情報板（６）は、情報を表示する液晶パネル部（１４）と、前記デジタル回線（８）から前記所定情報を受信すると、この所定情報を前記液晶パネル部（１４）に表示させると共に制御部（１６）とを備え、
　
前記ＣＰＵ（１１）は、前記所定情報の中の氏名、呼び出し表示、ドクター名、および救護区分の各情報を常時表示させる制御、これらの各情報を時間を区切って表示させる制御、またはこれらの各情報を常時表示せずに、前記患者情報板（６）の表面のタッチを前記制御部（１６）が検出すると、これらの各情報を一定時間表示させる制御と、画像を表示させる制御とを、前記入力装置（９）に入力された指令に応じて前記患者情報板（６）に対し行う
　
（２）本件補正の適否について
　本件補正は、平成１３年１２月１９日付け手続補正書により補正された明細書の特許請求の範囲（以下、「拒絶査定時の特許請求の範囲」という。）の請求項１に記載した発明の、「液晶ディスプレイをペンでなぞって文字を入力する入力装置（９）」に入力される情報について、「患者による呼び出し表示」を含めるという補正を含んでいる。
　そして、「患者による呼び出し表示」が「ペンでなぞって文字を入力する入力装置（９）」に入力されるとは、どのようなことか意味不明であり、本願明細書の発明の詳細な説明を参酌しても、「なお、入力装置９では、・・・呼出表示灯６ｂ・・・などが作成され入力され、」（段落【００１２】）の記載はあるものの、呼出表示については、「押し釦スイッチ１９ａ、握り釦スイッチ１９ｂからのオン信号が送られ、呼出表示灯６ｂを動作させる」（段落【００１９】）等のようにスイッチによるものが記載されているのみである。
　
（３）むすび
　したがって、本件補正は、発明を不明確にするものであり、特許法第１７条の２第４項に規定する各号のいずれにも該当せず、平成１５年改正前特許法第１７条の２第４項の規定に違反するので、特許法第１５９条第１項において読み替えて準用する同法第５３条第１項の規定により却下すべきものである。
　
３．本願発明について
　平成１５年２月６日付けの手続補正は上記のとおり却下されたので、本願の請求項１に係る発明（以下、「本願発明」という。）は、拒絶査定時の特許請求の範囲の請求項１に記載された事項により特定される、以下のとおりのものである。
　「ナースセンター（Ｎ）に設けられたデータ伝送装置（７）と、このデータ伝送装置（７）とデジタル回線（８）を介し接続され、かつ病室の出入口（５）の近くに設けられた患者情報板（６）とを備え、
　前記データ伝送装置（７）は、液晶ディスプレイをペンでなぞって文字を入力する入力装置（９）と、前記病室の患者の氏名、およびこの患者の病状の度合いを示す救護区分の情報が所定情報として前記入力装置（９）に入力されると、この所定情報を記憶する記憶部（１２）と、前記入力装置（９）に入力された所定情報または前記記憶部（１２）に記憶されている所定情報のデータを前記デジタル回線（８）に送信するＣＰＵ（１１）とを備え、
　前記患者情報板（６）は、情報を表示する液晶パネル部（１４）と、前記デジタル回線（８）から前記所定情報を受信すると、この所定情報を前記液晶パネル部（１４）に表示させる制御部（１６）とを備えることを特徴とするナースコールシステムにおける情報表示装置。」
　
（１）引用例
　原査定の拒絶の理由に引用した、特開平７−２３９９９０号公報（以下、「引用例１」という。）には、次の事項が記載され、また、図示されている。
ａ．「表示ユニット３はナースなどの介護者が通路を通る際に容易に見える場所に設置されている。通路を通る際に容易に見える位置としては、病室の入口扉の左横、右横、上の壁、または介護者が入口扉を開けて見える位置、例えば病室の中央の壁がある。この表示ユニット３は、後に詳述するように、受信ユニット２から受信した信号と、あらかじめ管理ユニット４から送られている患者ユニット１の識別ＩＤと該患者のベットの位置との対応データおよび患者に適したおむつ交換報知レベルのデータをもとにおむつ交換が必要な患者を判断し、該当する患者のＬＥＤ表示を変更しておむつ交換が必要なことを知らせる。
　さらに、介護者がおむつを交換する時期を判断する際の目安となるように、おむつ交換が必要と判断されてからの経過時間を表示する。経過時間はＬＥＤによる数字表示またはバー表示により表示される。介護者の視認性の点では段階的に色の変わるバー表示が最も望ましい。なお、患者ユニット１のＩＤは患者の数が一人の場合はなくても良い。
　管理ユニット４はナースステーションなど介護者が常に待機している部屋に設置される。介護者は患者ユニット１の識別ＩＤと該患者のベットの位置との対応データおよび患者に適したおむつ交換報知レベルのデータをキーボードまたはバーコードリーダ、タッチパネルなどにより管理ユニット４に入力する。これらのデータは前記の表示ユニット３に送られる。さらに管理ユニット４は個々の患者ユニット１からの信号を受け取り患者ユニットのＩＤとともに保存する。」（段落【００６９】〜【００７１】）
ｂ．「管理ユニット４による各患者ユニット１のＩＤの登録の仕方を説明する。管理ユニット４のＬＣＤは、通常、図６（ａ）に示すように各病室におむつ交換が必要な患者が何名いるかを表示している。そこで、表示を図６（ｂ)のように切り替えて入力モードにする。次に、図７（ａ）のフロー図にしたがって各患者の登録方法を説明する。
　ステップ５４０にて患者登録がスタートすると、まず、ステップ５４２にて、おむつ交換報知レベルを設定し、おむつ濡れ検出時に発生させるブザー音量を設定する。本実施例ではおむつ交換報知レベルを全病室共通としたが、病室毎あるいは患者毎にレベルを設定することも可能である。またブザー音量についても病室毎に設定することも可能である。次に、ステップ５４４にて、各病室のベットの数やベッドの配置をキーボードから入力する。続いて、ステップ５４６にて、各患者とその使用する患者ユニット１の対応付け、つまり患者のＩＤ登録およびその患者の使用するベッドの対応付けを、キーボードから入力する。患者のＩＤ入力は例えばバーコードスキャナー等で入力すれば入力ミスの減少がはかれる。そして、ステップ５４８にて、これらの情報を有線あるいは無線通信を用いて各表示ユニット３に送信し、その後はステップ５５０に移行し、各表示ユニット３からおむつ濡れ情報を受信してその管理や表示を行うモードに移行する。」（段落【００８０】〜【００８１】）
ｃ．図７（ａ）には、「管理ユニットの動作概略フロー」と題してそのフローが図示され、図６（ｂ）には、患者ユニットＩＤを管理ユニットにおいて入力すべきことが図示されている。また、図１０，１１には、患者のＩＤが、ベッドの位置と対応づけられて表示ユニット３における位置として表示される様子が図示されている。
　
　上記記載事項及び図示内容から、引用例１には、次の発明（以下、「引用発明」という。）が記載されていると認められる。
　「ナースステーションに設置された管理ユニット４と、病室の入口扉の左横、右横、又は上の壁に設置された表示ユニット３と、管理ユニット４で入力された情報を有線あるいは無線通信を用いて各表示ユニット３に送信する手段とを備え、
　管理ユニット４は、キーボードまたはバーコードリーダ、タッチパネルなどの入力装置を備え、患者ユニット１の識別ＩＤ、該識別ＩＤと該患者のベットの位置との対応データ、患者に適したおむつ交換報知レベルなどのデータが入力されるステップ、それらのデータ、即ち情報を各表示ユニット３に有線で送信するステップ等を実行し、表示ユニット３は、識別ＩＤと該患者のベットの位置との対応を表示し、また、おむつ交換が必要な患者を判断し、該当する患者のＬＥＤ表示を変更しておむつ交換が必要なことを知らせる装置。」
　
　同じく原査定の拒絶の理由に引用した、特開平４−１６５８５６号公報（以下、「引用例２」という。）には、次の事項が記載されている。
ｄ．「［発明が解決しようとする課題］
　このボード型ナースコールインターホン装置では、子機４１〜４５があてがわれる患者の病室部屋番号、名前等を手書きでボード型ナースコール親機３１の表示部３２〜３６の室番、氏名指名条片３２ａ〜３６ａに記入しなければならないため、入退院時或いは病室部屋を変更する時等にはその都度書き直す必要があり、煩雑であり、誤記入の虞れがあった。
　また、患者が子機４１〜４５から呼出をしてきたとき、患者の情報はボード型ナースコール親機３１とは別の箇所に保管してある等の理由から患者情報の入手に時間がかかるという難点があった。
［発明の目的］
　本発明は、かかる従来の難点に鑑みなされたもので、子機側情報の登録、更新、管理の煩雑さを軽減し、一括して制御、把握でき、かつ子機からの呼出に対して、子機側情報の検索、参照が短時間で行なことができ、情報入手の効率化を図ったインターホン装置を提供しようとするものである。」（２頁左上欄１１行〜右上欄１０行）
ｅ．「このように構成されたインターホン装置において、例えば部屋番号「１０１」と患者名「○○○○」の登録をするには、パーソソナルコンピュータ２８のコンソール２８ｂを操作し、フロッピディスク装置２８ｃに既に登録されている患者データをディスプレイ２８ａに表示し、当該患者の部屋番号「１０１」をパーソソナルコンピュータ２８へ投入する。これにより、部屋番号「１０１」と患者名「○○○○」が第１のインターフェース１９を介してマイクロプロセッサユニット２０に入力される。マイクロプロセッサユニット２０は入力されたデータに基づき、第２のインターフェース１３を制御する。第２のインターフェース１３はその制御に基づき、表示部２の第１電子表示素子３を駆動するので、第１電子表示素子３には子機２１に該当するデータ、つまり部屋番号「１０１」と患者名「○○○○」を表示する。また、同時にパーソソナルコンピュータ２８からマイクロプロセッサユニット２０に入力された部屋番号「１０１」と患者名「○○○○」のデータは、そのマイクロプロセッサユニット２０の制御により第３のインターフェース１８を介して子機２１へ送出するので、子機２１の電子表示素子２１ａにもこれらの部屋番号「１０１」と患者名「○○○○」が表示される。このため親機１に外設したパーソナルコンピュータ２８のディスプレイ２８ａ、親機１における表示部２の第１電子表示素子３、子機２１の電子表示素子２１ａの部屋番号「１０１」と患者名「○○○○」の表示は一致するから、子機側情報の登録、更新、管理の煩雑さを軽減し、一括して制御、把握が可能である。」（３頁右上欄１９行〜右下欄９行）
　上記記載事項から、引用例２には、「ナースコールインターホン装置において、親機側のパーソナルコンピュータの入力装置からの入力により、患者名等の情報を子機の電子表示素子に表示させると共に、子機側情報の登録、更新、管理を行う技術手段」が記載されているといえる。
　
（２）対比・判断
　本願発明と引用発明とを対比すると、引用発明の「管理ユニット４」は、データを入力する入力装置を備えており、データを入力するステップの後、該情報を各表示ユニット３に送信するステップを実行するから、その情報を記憶する記憶部を備えていることは明らかであり、情報を伝送するのに、ＣＰＵ及びデジタル回線を用いるのは通常のことであるから、引用発明の「管理ユニット４」は、「所定情報を入力する入力装置と、所定情報を記憶する記憶部と、所定情報のデータをデジタル回線に送信するＣＰＵとを備えたデータ伝送装置」ということができる。
　また、引用発明の「表示ユニット３」は、ＬＥＤが情報を表示し、「患者ユニット１の識別ＩＤと該患者のベットの位置との対応データ」を受信すると、それを表示するから、「情報を表示する表示部」と「所定情報を受信すると、この所定情報を表示させる制御部とを備える」表示装置である限りにおいて本願発明の「患者情報板（６）」と共通する。
　そして、引用発明の「ナースステーション」は、本願発明の「ナースセンター（Ｎ）」に相当し、後者の「おむつ交換が必要な患者を判断し、該当する患者のＬＥＤ表示を変更しておむつ交換が必要なことを知らせる装置」は、「ナースコールシステム」といえ、「病室の入口扉の左横、右横、又は上の壁」は、「病室の出入口（５）の近く」といえるから、両者は、
　「ナースセンターに設けられたデータ伝送装置と、このデータ伝送装置とデジタル回線を介し接続され、かつ病室の出入口の近くに設けられた患者情報板とを備え、
　前記データ伝送装置は、入力装置と、情報が所定情報として前記入力装置に入力されると、この所定情報を記憶する記憶部と、前記入力装置に入力された所定情報または前記記憶部に記憶されている所定情報のデータを前記デジタル回線に送信するＣＰＵとを備え、
　前記患者情報板は、情報を表示する表示部と、前記デジタル回線から前記所定情報を受信すると、この所定情報を前記表示部に表示させる制御部とを備えるナースコールシステムにおける情報表示装置。」である点で一致し、次の点で相違する。
　相違点１：「入力装置」が本願発明においては、「液晶ディスプレイをペンでなぞって文字を入力する入力装置」であるのに対し、引用発明では、そのように限定されていない点。
　相違点２：「入力装置」により入力され、「患者情報板の表示部」に表示される情報が、本願発明においては、「患者の氏名、およびこの患者の病状の度合いを示す救護区分の情報」であるのに対し、引用発明においては、「識別ＩＤと該患者のベットの位置との対応情報」が入力され、該情報と、おむつ交換が必要なことを知らせる情報とが表示される点。
　相違点３：本願発明においては、情報が「液晶パネル部」に表示されるのに対し、引用発明においては、情報を表示する手段が液晶パネルではない点。
　
　まず、相違点１について検討する。
　入力装置として、「液晶ディスプレイをペンでなぞって文字を入力する入力装置」は、例示するまでもなく周知であり、そのような入力装置を用いることは、当業者が容易に想到し得るものであり、それによる効果も当業者が予測し得る範囲のものである。
　相違点２について検討すると、入力装置により入力し、表示装置に表示させる情報は、必要に応じて選択すべきものであり、病室の出入口付近に設けた患者情報板に、「患者の氏名、およびこの患者の病状の度合いを示す救護区分の情報」を表示することは、従来より行われていたことであり、また、病院におけるナースコールインターホン装置において、親機側に設けた入力装置から、患者名等の情報を入力し、子機側表示装置に表示させて、子機側情報の登録、更新、管理を行う技術手段が引用例２により公知であることを考慮すれば、「患者情報板の表示部」に表示される情報として、「患者の氏名、およびこの患者の病状の度合いを示す救護区分の情報」を患者情報板に表示し、相違点２に係る構成とすることは、当業者が容易に想到し得るものである。
　また、当該構成による効果も当業者が予測し得る範囲のものである。
　相違点３について検討すると、表示装置として、液晶パネルは普通に用いられてところであるから、情報を「液晶パネル部」に表示させることは当業者が容易に想到し得るものであり、それによる効果も当業者が予測し得る範囲のものである。
　
４．むすび
　したがって、本願発明は、引用例１及び２に記載された発明に基づいて当業者が容易に発明をすることができたものであるから、特許法第２９条第２項の規定により特許を受けることができない。
　よって、結論のとおり審決する。